(57)【要約】【課題】  ボイラ火炉の下方に開口部を形成し、この開口部からボイラ火炉内へ仮設足場部材などを搬入及び搬出できる乾式燃焼廃物搬送装置を提供すること。【解決手段】  ボイラ火炉の下方において燃焼廃物を下流方向へ搬送する乾式燃焼廃物搬送装置であって、前記乾式燃焼廃物搬送装置は、前記乾式燃焼廃物搬送装置の後端部を含む一部の移動部分を他の固定部分から分割する分割部を備え、前記分割部で分割した前記移動部分を前記燃焼廃物の搬送方向と反対方向に移動させる移動装置を備えている。【選択図】  図１
2018096611.tif 000002
【特許請求の範囲】
【請求項１】
ボイラ火炉の下方において燃焼廃物を下流の搬送方向へ搬送する乾式燃焼廃物搬送装置であって、
前記乾式燃焼廃物搬送装置は、前記乾式燃焼廃物搬送装置の後端部を含む一部の移動部分を他の固定部分から分割する分割部を備え、
前記分割部で分割した前記移動部分を前記燃焼廃物の搬送方向と反対方向に移動させる移動装置を備えている、
ことを特徴とする乾式燃焼廃物搬送装置。
【請求項２】
前記移動装置は走行車輪を備え、
前記走行車輪を前記燃焼廃物の搬送方向と反対方向に移動させるレールをさらに備えている、
請求項１に記載の乾式燃焼廃物搬送装置。
【請求項３】
前記分割部は、前記移動部分を前記固定部分に連結又は前記固定部分から分割する連結具で前記固定部分に連結されている、
請求項１又は２に記載の乾式燃焼廃物搬送装置。
【請求項４】
前記乾式燃焼廃物搬送装置は、前記燃焼廃物を搬送する燃焼廃物搬送コンベヤであり、
前記燃焼廃物搬送コンベヤは、前記分割部の位置から前記燃焼廃物の前記搬送方向に延びる固定搬送コンベヤ部分と、前記燃焼廃物の前記搬送方向と反対方向に移動可能な移動搬送コンベヤ部分と、を備えており、
前記固定搬送コンベヤ部分と前記移動搬送コンベヤ部分との間に、前記燃焼廃物を前記搬送方向に移送する乗り継ぎ部を有している、
請求項１〜３のいずれか１項に記載の乾式燃焼廃物搬送装置。
【請求項５】
前記乾式燃焼廃物搬送装置は、前記燃焼廃物を搬送する燃焼廃物搬送コンベヤであり、
前記燃焼廃物搬送コンベヤは、前記分割部の位置から前記燃焼廃物の前記搬送方向に延びる固定搬送コンベヤ部分と、前記燃焼廃物の前記搬送方向と反対方向に移動可能な移動搬送コンベヤ部分と、を備えており、
前記移動搬送コンベヤ部分は、前記分割部で分割する移動ケーシングを前記固定搬送コンベヤ部分の固定ケーシングから所定距離離す離間手段を備え、
前記移動搬送コンベヤ部分と前記固定搬送コンベヤ部分とにわたって掛けられたコンベヤベルトは、前記離間手段で所定距離離した前記移動ケーシングと固定ケーシングとの間の開口部分で分割可能に構成されている、
請求項１〜３のいずれか１項に記載の乾式燃焼廃物搬送装置。
【請求項６】
前記乾式燃焼廃物搬送装置は、前記燃焼廃物を搬送する燃焼廃物搬送コンベヤであり、
前記燃焼廃物搬送コンベヤは、ケーシングの前記分割部の位置に、コンベヤベルトを前記ケーシングの両側部から分割する作業用開口を備え、
前記作業用開口から前記コンベヤベルトを分割した前記燃焼廃物搬送コンベヤの一部は、前記移動部分として前記燃焼廃物の搬送方向と反対方向に移動可能に構成されている、
請求項１〜３のいずれか１項に記載の乾式燃焼廃物搬送装置。
【請求項７】
ボイラ火炉の下方において燃焼廃物を下流の搬送方向へ搬送する乾式燃焼廃物搬送装置を分割し、前記ボイラ火炉の下方に開口部を形成する開口部形成方法であって、
前記乾式燃焼廃物搬送装置の少なくとも後端部を含む一部を分割し、分割した前記乾式燃焼廃物搬送装置の一部を前記燃焼廃物の搬送方向と反対方向に移動させて少なくとも前記ボイラ火炉の一部の下方に開口部を形成する、
ことを特徴とするボイラ火炉の開口部形成方法。
【請求項８】
前記ボイラ火炉は、前記燃焼廃物の搬送方向に複数に分割された排出ホッパを下方に備えており、
分割する前記乾式燃焼廃物搬送装置の一部は、複数に分割された前記排出ホッパの少なくとも後端部の該排出ホッパの下方に前記開口部を形成する部分に位置する、
請求項７に記載のボイラ火炉の開口部形成方法。
【発明の詳細な説明】
【技術分野】
【０００１】
本発明は、ボイラ火炉内への仮設足場部材などの搬入及び搬出ができるように開口部を形成できる乾式燃焼廃物搬送装置と、それによるボイラ火炉の開口部形成方法に関する。
【背景技術】
【０００２】
従来、ボイラ装置には、ボイラ火炉の下方に排出ホッパが備えられ、この排出ホッパの下方に、ボイラ火炉から排出される燃焼廃物を下流方向へ搬送する搬送装置が備えられている。この搬送装置としては、湿式クリンカコンベヤなどの湿式燃焼廃物搬送装置と、乾式クリンカコンベヤなどの乾式燃焼廃物搬送装置に大別することができる。近年、湿式における水関係の設備費用を抑えるために、乾式燃焼廃物搬送装置が多く採用されている。
【０００３】
図７は、従来のボイラ装置における乾式燃焼廃物搬送装置の一例を示す側面図であり、図８は、その乾式燃焼廃物搬送装置を搬送方向と反対方向から見た背面図である。この明細書及び特許請求の範囲の書類中における「搬送方向」は、乾式燃焼廃物を搬送する「下流方向」をいう。ボイラ装置１１０におけるボイラ火炉１１１の下方には排出ホッパ１１２が備えられ、この排出ホッパ１１２の下方に、ボイラ火炉１１１から排出される燃焼廃物を搬送方向Ｔへ向けて搬送する乾式燃焼廃物搬送装置１２０が備えられている。乾式燃焼廃物搬送装置１２０は、排出ホッパ１１２の下方において搬送方向Ｔに連続した構造物であり、乾式燃焼廃物搬送装置１２０の両側方には排出ホッパ１１２を支持する支柱１１３が搬送方向Ｔに所定間隔で設けられている。支柱１１３は、点検用足場１１４も支持しており、乾式燃焼廃物搬送装置１２０の両側方にはこれらを含む架構１１５が存在する。
【０００４】
一方、ボイラ装置では、定期検査などにおいてボイラ火炉内の点検や補修が行われる。ボイラ火炉内の点検や補修を行う場合、ボイラ火炉の内部に仮設足場を組み、その仮設足場から点検や補修が行われる。このため、点検・補修前に、ボイラ火炉の内部に仮設足場材を搬入して組み立てるとともに、補修用機材を搬入するための開口部が必要となる。この開口部は、点検・補修後に補修用機材及び仮設足場材を搬出するときにも利用される。
【０００５】
上記湿式燃焼廃物搬送装置に関する先行技術では、湿式クリンカホッパの一部を上ホッパと下ホッパとに着脱可能に分割し、下ホッパを移動架台に搭載して側方へ移動可能としたものがある（例えば、特許文献１参照）。この発明では、下ホッパを側方に移動させることで、上ホッパの下端部に大型の開口部を確保し、仮設足場材などの搬入・搬出が可能なようにしている。
【先行技術文献】
【特許文献】
【０００６】
【特許文献１】特開平３−１３４４０７号公報
【発明の概要】
【発明が解決しようとする課題】
【０００７】
しかし、上記した乾式燃焼廃物搬送装置１２０は、排出ホッパ１１２の下方において搬送方向Ｔに連続した構造物であるとともに、非常に大きな構造物となる場合がある。しかも、乾式燃焼廃物搬送装置１２０の両側方には、排出ホッパ１１２の支柱１１３を含む架構１１５が搬送方向Ｔに存在している。このため、上記特許文献１の湿式燃焼廃物搬送装置のように、一部を分割して側方に移動させることや、全体を側方に移動させることは難しい。また、乾式燃焼廃物搬送装置１２０は搬送方向Ｔに連続した大きな構造物で大重量となることが多く、保守点検の度に搬送装置全体を移動させることは難しい。
【０００８】
そこで、従来は、上記図７，８に示すように、排出ホッパ１１２の側面に開口部１１７を設け、この開口部１１７からボイラ火炉１１１の内部に仮設足場部材などを搬入している。しかし、乾式の場合は湿式の場合に比べて排出ホッパ１１２の範囲が狭く、排出ホッパ１１２の側面に設けることができる開口部１１７は、例えば、一辺が１ｍ程度の小さなものになる。そのため、仮設足場部材を小さく分解して搬入及び搬出する必要があり、数が多い仮設足場部材の搬入及び搬出に多くの時間と労力を要する。
【０００９】
しかも、排出ホッパ１１２の周囲に設けられた点検用足場１１４の高さまで仮設足場材などを持ち上げた後、開口部１１７から排出ホッパ１１２の内部に搬入することになる。しかし、開口部１１７は床面１１６から約１０ｍの高さになることもあり、排出ホッパ１１２の点検用足場１１４の高さまで仮設足場部材などを持ち上げるための時間と労力を要し、作業効率が悪い。
【００１０】
このようなことから、ボイラ火炉内への仮設足場部材の搬入・搬出作業は効率が悪く、定期検査中やトラブル発生時におけるボイラ装置１１０の停止期間が長くなっている。ボイラ装置を停止させた場合、ボイラ火炉の点検に要する日数を数日短縮することで大幅な費用削減を図ることができるため、仮設足場部材などの搬入及び搬出に要する日数削減が求められている。
【課題を解決するための手段】
【００１１】
そこで、本発明者は、ボイラ火炉の下方に大きな開口部を形成するために、乾式燃焼廃物搬送装置におけるメッシュベルトコンベヤなどは、分割することなく全体を一体的に移動させる必要がある、という固定観念から発想を転換し、乾式燃焼廃物搬送装置の一部を分割し、分割した乾式燃焼廃物搬送装置の一部を燃焼廃物の搬送方向と反対方向に移動させる、という発想に基づいて、ボイラ火炉の下方に大きな開口部を形成し、この開口部から仮設足場部材などをボイラ火炉の内部へ容易に搬入及び搬出ができるように開口部を形成できる乾式燃焼廃物搬送装置と、それによるボイラ火炉の開口部形成方法を発明した。
【００１２】
本発明に係る乾式燃焼廃物搬送装置は、ボイラ火炉の下方において燃焼廃物を下流の搬送方向へ搬送する乾式燃焼廃物搬送装置であって、前記乾式燃焼廃物搬送装置は、前記乾式燃焼廃物搬送装置の後端部を含む一部の移動部分を他の固定部分から分割する分割部を備え、前記分割部で分割した前記移動部分を前記燃焼廃物の搬送方向と反対方向に移動させる移動装置を備えている。
【００１３】
この構成により、ボイラ火炉の下方に備えられた乾式燃焼廃物搬送装置の後端部を含む一部を分割して燃焼廃物の搬送方向と反対方向に移動させることで、ボイラ火炉の後端部の下方に大きな開口部を形成することができる。よって、この開口部から仮設足場部材などをボイラ火炉の内部へ搬入及び搬出することが容易にでき、仮設足場部材などの搬入及び搬出に要する日数、ボイラ火炉の点検日数を短縮することができる。
【００１４】
また、前記移動装置は走行車輪を備え、前記走行車輪を前記燃焼廃物の搬送方向と反対方向に移動させるレールをさらに備えていてもよい。
【００１５】
このように構成すれば、分割した乾式燃焼廃物搬送装置の一部をレールに沿って容易に移動させることができ、利便性を向上させることができる。
【００１６】
また、前記分割部は、前記移動部分を前記固定部分に連結又は前記固定部分から分割する連結具で前記固定部分に連結されていてもよい。
【００１７】
このように構成すれば、乾式燃焼廃物搬送装置の後端部を含む一部を分割する作業及び後端部を含む一部を連結する作業を、分割部における連結具の分割作業又は連結作業によって効率良く行うことができる。よって、乾式燃焼廃物搬送装置の一部を容易に分割できる構造にできる。
【００１８】
また、前記乾式燃焼廃物搬送装置は、前記燃焼廃物を搬送する燃焼廃物搬送コンベヤであり、前記燃焼廃物搬送コンベヤは、前記分割部の位置から前記燃焼廃物の前記搬送方向に延びる固定搬送コンベヤ部分と、前記燃焼廃物の前記搬送方向と反対方向に移動可能な移動搬送コンベヤ部分と、を備えており、前記固定搬送コンベヤ部分と前記移動搬送コンベヤ部分との間に、前記燃焼廃物を前記搬送方向に移送する乗り継ぎ部を有していてもよい。
【００１９】
このように構成すれば、移動搬送コンベヤ部分を固定搬送コンベヤ部分から離して燃焼廃物の搬送方向と反対方向に移動させることで、搬送コンベヤの一部を容易に分割することができる。
【００２０】
また、前記乾式燃焼廃物搬送装置は、前記燃焼廃物を搬送する燃焼廃物搬送コンベヤであり、前記燃焼廃物搬送コンベヤは、前記分割部の位置から前記燃焼廃物の前記搬送方向に延びる固定搬送コンベヤ部分と、前記燃焼廃物の前記搬送方向と反対方向に移動可能な移動搬送コンベヤ部分と、を備えており、前記移動搬送コンベヤ部分は、前記分割部で分割する移動ケーシングを前記固定搬送コンベヤ部分の固定ケーシングから所定距離離す離間手段を備え、前記移動搬送コンベヤ部分と前記固定搬送コンベヤ部分とにわたって掛けられたコンベヤベルトは、前記離間手段で所定距離離した前記移動ケーシングと固定ケーシングとの間の開口部分で分割可能に構成されていてもよい。
【００２１】
このように構成すれば、移動搬送コンベヤ部分の移動ケーシングと固定搬送コンベヤ部分の固定ケーシングとの間を離間手段で所定距離離すことにより、これらの間の開口部から内部に掛けられているコンベヤベルトを容易に分割することができ、移動搬送コンベヤ部分を固定搬送コンベヤ部分から分割することが容易にできる。
【００２２】
また、前記乾式燃焼廃物搬送装置は、前記燃焼廃物を搬送する燃焼廃物搬送コンベヤであり、前記燃焼廃物搬送コンベヤは、ケーシングの前記分割部の位置に、コンベヤベルトを前記ケーシングの両側部から分割する作業用開口を備え、前記作業用開口から前記コンベヤベルトを分割した前記燃焼廃物搬送コンベヤの一部は、前記移動部分として前記燃焼廃物の搬送方向と反対方向に移動可能に構成されていてもよい。
【００２３】
このように構成すれば、ケーシングの分割部の位置で作業用開口を開放して内部のコンベヤベルトを分割し、分割したコンベヤベルトを含む燃焼廃物搬送コンベヤの後端部分を移動部分として燃焼廃物の搬送方向と反対方向に移動させることができる。これによっても、分割して移動させた燃焼廃物搬送コンベヤの部分で、ボイラ火炉の下方に大きな開口部を形成することができる。
【００２４】
一方、本発明に係るボイラ火炉の開口部形成方法は、ボイラ火炉の下方において燃焼廃物を下流の搬送方向へ搬送する乾式燃焼廃物搬送装置を分割し、前記ボイラ火炉の下方に開口部を形成する開口部形成方法であって、前記乾式燃焼廃物搬送装置の少なくとも後端部を含む一部を分割し、分割した前記乾式燃焼廃物搬送装置の一部を前記燃焼廃物の搬送方向と反対方向に移動させて少なくとも前記ボイラ火炉の一部の下方に開口部を形成する。
【００２５】
この構成により、ボイラ火炉の下方に備えられた乾式燃焼廃物搬送装置の少なくとも後端部を含む一部を分割し、架構などの障害物の無い燃焼廃物の搬送方向と反対方向に移動させる。これにより、乾式燃焼廃物搬送装置の一部を移動させた部分のボイラ火炉の下方に大きな開口部を形成することができる。よって、この開口部から仮設足場部材などをボイラ火炉の内部へ搬入及び搬出することが容易にでき、仮設足場部材などの搬入及び搬出に要する日数、ボイラ火炉の点検日数を短縮することができる。
【００２６】
また、前記ボイラ火炉は、前記燃焼廃物の搬送方向に複数に分割された排出ホッパを下方に備えており、分割する前記乾式燃焼廃物搬送装置の一部は、複数に分割された前記排出ホッパの少なくとも後端部の該排出ホッパの下方に前記開口部を形成する部分に位置していてもよい。
【００２７】
このように構成すれば、燃焼廃物の搬送方向に分割されている排出ホッパの内、少なくとも後端部の排出ホッパの下方を開放して大きな開口部を形成することができる。よって、排出ホッパの下方から仮設足場部材などをボイラ火炉の内部へ搬入及び搬出することが容易にできる。
【発明の効果】
【００２８】
本発明によれば、ボイラ火炉の下方に乾式燃焼廃物搬送装置を備えたボイラ装置でも、ボイラ火炉の下方に大きな開口部を形成して仮設足場部材などをボイラ火炉の内部へ容易に搬入及び搬出することができ、ボイラ装置を効率良く点検・補修することが可能となる。よって、ボイラ火炉の点検に要する日数を短縮することが可能となる。
【図面の簡単な説明】
【００２９】
【図１】図１は、本発明の第１実施形態に係るボイラ装置の乾式燃焼廃物搬送コンベヤを示す図面であり、（Ａ）は側面図、（Ｂ）は矢視Ｉの開口部を示す平面図である。
【図２】図２は、本発明の第２実施形態に係る乾式燃焼廃物搬送コンベヤを示す図面であり、（Ａ）は側面図、（Ｂ）は矢視IIの開口部を示す平面図である。
【図３】図３は、本発明の第３実施形態に係る乾式燃焼廃物搬送コンベヤの後部を模式的に示す図面であり、（Ａ）は通常時の側面図、（Ｂ）は分割時の側面図である。
【図４】図４は、本発明の第４実施形態に係る乾式燃焼廃物搬送コンベヤの後部を模式的に示す側面図である。
【図５】図５は、本発明の第５実施形態に係る乾式燃焼廃物搬送コンベヤの後部を模式的に示す側面図である。
【図６】図６は、コンベヤベルトの構成例を示す平面図である。
【図７】図７は、従来のボイラ装置における乾式燃焼廃物搬送装置の一例を示す側面図である。
【図８】図８は、図７に示す乾式燃焼廃物搬送装置を搬送方向と反対方向から見た背面図である。
【発明を実施するための形態】
【００３０】
以下、本発明の実施形態を図面に基づいて説明する。以下の実施形態では、乾式燃焼廃物搬送装置として乾式燃焼廃物搬送コンベヤを例に説明する。また、ボイラ火炉１１の下方に排出ホッパ１２を備えた構成を例に説明する。この明細書及び特許請求の範囲の書類中における前後方向の概念は、図１に示す乾式燃焼廃物搬送コンベヤ２０（乾式燃焼廃物搬送装置）による燃焼廃物の搬送方向Ｔである下流方向（図の左方向）を「前方」、搬送方向Ｔと反対方向（図の右方向）を「後方」とした概念と一致するものとする。また、燃焼廃物の搬送方向Ｔと反対方向は「反搬送方向Ｏ」ともいう。
【００３１】
（第１実施形態）
図１は、第１実施形態に係るボイラ装置の乾式燃焼廃物搬送コンベヤ２０を示す図面であり、（Ａ）は側面図、（Ｂ）は矢視Ｉの開口部１７を示す平面図である。
【００３２】
ボイラ装置１０におけるボイラ火炉１１の下方には排出ホッパ１２が設けられている。排出ホッパ１２は、床面１６に設けられた支柱１３によって支持されている。支柱１３は、排出ホッパ１２の両側部に設けられており、搬送方向Ｔに所定間隔で設けられている。この実施形態の排出ホッパ１２は、燃焼廃物の搬送方向Ｔに長いため複数に分割されている。排出ホッパ１２の周囲には、点検用足場１４が設けられている。
【００３３】
排出ホッパ１２の下方には、乾式燃焼廃物搬送コンベヤ２０が備えられており、乾式燃焼廃物搬送コンベヤ２０は、ボイラ火炉１１から排出される燃焼廃物を図の左方向である下流方向へと搬送する。この乾式燃焼廃物搬送コンベヤ２０の両側部には、上記支柱１３と点検用足場１４を含む架構１５が存在している。
【００３４】
そして、この実施形態では、複数に分割された排出ホッパ１２の後端部の下方に位置する乾式燃焼廃物搬送コンベヤ２０の後端部を含む移動部分（移動搬送コンベヤ部分）２２が、前方に位置する固定部分（固定搬送コンベヤ部分）２１から分割可能なように構成されている。移動部分２２と固定部分２１との間の分割部２３は、ボルト等の連結具の他、クランプなどの連結具を用いて連結又は分割可能なようにできる。
【００３５】
固定部分２１から分割した移動部分２２は、移動ケーシング２５と移動コンベヤベルト２６として分割され、これら移動ケーシング２５と移動コンベヤベルト２６を固定部分２１に対して、燃焼廃物の搬送方向Ｔと反対方向の反搬送方向Ｏ（後方）へ移動させることが可能となっている。
【００３６】
乾式燃焼廃物搬送コンベヤ２０の両側部には、床面１６から上方に延びる支柱１３などの架構１５があるが、乾式燃焼廃物搬送コンベヤ２０の反搬送方向Ｏには架構１５等の障害物がなく（図８参照）、分割した移動部分２２を反搬送方向Ｏへ移動させることができる。しかも、大きな乾式燃焼廃物搬送コンベヤ２０の全体ではなく、最後部を含む一部である移動部分２２を後方へ移動させるため、重量を抑えた移動部分２２を移動させることができる。図は、移動部分２２を反搬送方向Ｏへ移動させた状態を示している。
【００３７】
また、この実施形態では、分割した移動部分２２を移動装置である移動台車２７に載せて移動させている。移動台車２７は、モータ等の駆動源を車輪２８に備えさせることで、容易に移動させることができる。
【００３８】
このように、乾式燃焼廃物搬送コンベヤ２０の後端部を含む一部の移動部分２２を固定部分２１から分割して反搬送方向Ｏに移動させることで、図１（Ｂ）に示すように、排出ホッパ１２の後端部から所定範囲の下方に大きな開口部１７を形成することが可能となる。この例では、搬送方向Ｔに分割された排出ホッパ１２の最後部の下方を開放している。これにより、ボイラ火炉１１の下方に大きな開口部１７を形成することができる。開口部１７の大きさとしては、例えば、幅寸法が１ｍ〜２ｍ程度で、長さ寸法が６ｍ〜８ｍ程度の大きさとすることができる。
【００３９】
開口部１７は、床面１６からアクセス可能であるため、開口部１７の下方にトラックなどで仮設足場部材などを直接搬送し、ボイラ火炉１１の内部から仮設足場部材などをボイラ火炉１１の内部に直接吊上げて搬入することができる。よって、仮設足場部材などをボイラ火炉１１の内部へ搬入及び搬出することが容易に可能となり、定期検査などの作業効率を大幅に向上させることが可能となる。これにより、仮設足場部材などの搬入及び搬出に要する日数、ボイラ火炉の点検日数を短縮することができる。
【００４０】
（第２実施形態）
図２は、第２実施形態に係る乾式燃焼廃物搬送コンベヤ３０を示す図面であり、（Ａ）は側面図、（Ｂ）は矢視IIの開口部１７を示す平面図である。なお、第１実施形態に係る乾式燃焼廃物搬送コンベヤ２０と同一の構成には「１０」を加えた符号を付し、その説明は省略する。また、架構１５（図１）については記載を省略している。
【００４１】
第２実施形態の乾式燃焼廃物搬送コンベヤ３０は、分割部３３から前方を固定搬送コンベヤ部分（固定部分）３１とし、分割部３３から後方を移動搬送コンベヤ部分（移動部分）３２として、乾式燃焼廃物搬送コンベヤ３０を、複数の独立コンベヤとしている。そして、固定搬送コンベヤ部分３１と移動搬送コンベヤ部分３２との間の分割部３３に、燃焼廃物を下流方向へ移送する乗り継ぎ部３４を備えさせている。乗り継ぎ部３４は、移動搬送コンベヤ部分３２の移動コンベヤベルト３６で搬送方向Ｔに搬送する燃焼廃物を、固定搬送コンベヤ部分３１の固定コンベヤベルト３８へ送ることができる構成であればよい。乗り継ぎ部３４は、固定搬送コンベヤ部分３１又は移動搬送コンベヤ部分３２のいずれに備えさせてもよい。
【００４２】
この乾式燃焼廃物搬送コンベヤ３０によれば、固定搬送コンベヤ部分３１と移動搬送コンベヤ部分３２とが別々の構成であるため、移動搬送コンベヤ部分３２は、移動ケーシング３５を固定搬送コンベヤ部分３１の固定ケーシング３７に連結している連結部分を分割すれば、容易に反搬送方向Ｏへ移動させることが可能となる。
【００４３】
この乾式燃焼廃物搬送コンベヤ３０によっても、上記第１実施形態の乾式燃焼廃物搬送コンベヤ２０と同様に、移動搬送コンベヤ部分３２を分割して反搬送方向Ｏに移動させることで、図２（Ｂ）に示すように、排出ホッパ１２の後端部を含む所定範囲の下方に大きな開口部１７を形成することが可能となる。これにより、ボイラ火炉１１の下方に大きな開口部１７を形成することができる。
【００４４】
なお、この例では、移動搬送コンベヤ部分３２を排出ホッパ１２の分割された最後部の部分としているが、排出ホッパ１２が搬送方向Ｔに短い構成である場合などには、水平部の全体を移動させるようにしてもよい。
【００４５】
（第３実施形態）
図３は、第３実施形態に係る乾式燃焼廃物搬送コンベヤ４０の後部を模式的に示す図面であり、（Ａ）は通常時の側面図、（Ｂ）は分割時の側面図である。なお、第２実施形態に係る乾式燃焼廃物搬送コンベヤ３０と同一の構成には「１０」を加えた符号を付し、その説明は省略する。また、架構１５（図１）については記載を省略している。
【００４６】
第３実施形態の乾式燃焼廃物搬送コンベヤ４０は、分割部４３で固定部分（固定搬送コンベヤ部分）４１から分割する移動部分（移動搬送コンベヤ部分）４２の移動ケーシング４５を、固定部分４１の固定ケーシング４７から所定距離離す離間手段としての機能を有する緊張装置４９を備えている。この実施形態では、離間手段をコンベヤベルト４８のテール部における緊張装置４９に兼ねさせている。この実施形態の緊張装置４９は、ジャッキとなっている。緊張装置４９は、一般にコンベヤベルトが運転の経過とともに伸長するため、その伸び量を吸収するために設けられている。そのため、緊張装置４９のストローク長は、コンベヤベルト４８の伸び量を調整できるストローク長になっている。この実施形態では、緊張装置４９のストローク長を、調整用のストローク長に加え、分割用ストローク長を加えた調整代を有する長さにしている。すなわち、この例では、緊張装置４９のストローク長が、調整用のストローク長＋分割用ストローク長となっている。例えば、緊張装置４９のストロークを、調整用のストローク長に５００ｍｍ程度を加えた長さにしておく。
【００４７】
この乾式燃焼廃物搬送コンベヤ４０によれば、移動部分４２の移動ケーシング４５を固定部分４１の固定ケーシング４７から分割し、図３（Ｂ）に示すように、緊張装置４９のストローク長を短くしながら移動部分４２の移動ケーシング４５を徐々に反搬送方向Ｏへ移動させていく。そして、所定距離離したことで、コンベヤベルト４８の張力を保ったまま、固定部分４１の固定ケーシング４７と移動部分４２の移動ケーシング４５との間に、５００ｍｍ程度の開口部分となったメンテナンス空間Ｓを形成することができる。しかも、コンベヤベルト４８を剥き出しにできる。このメンテナンス空間Ｓにより、剥き出しになったコンベヤベルト４８を容易に分割、連結することが可能となる。
【００４８】
このように、この実施形態の乾式燃焼廃物搬送コンベヤ４０によれば、分割部４３で移動部分４２の移動ケーシング４５を緊張装置４９（離間手段）で固定部分４１から離し、分割部４３でコンベヤベルト４８を容易に分割できるので、乾式燃焼廃物搬送コンベヤ４０の移動部分４２を固定部分４１から分割することが容易にできる。コンベヤベルト４８を分割すれば、移動部分４２の移動ケーシング４５とともに移動コンベヤベルト４６（コンベヤベルト４８の一部）をさらに反搬送方向Ｏへと移動させることができる。よって、移動部分４２を反搬送方向Ｏへ移動させることで、ボイラ火炉１１の下方に大きな開口部１７（図２（Ｂ））を形成することができる。
【００４９】
（第４実施形態）
図４は、第４実施形態に係る乾式燃焼廃物搬送コンベヤ５０の後部を模式的に示す側面図である。なお、架構１５（図１）については記載を省略している。
【００５０】
第４実施形態の乾式燃焼廃物搬送コンベヤ５０は、分割部５３とコンベヤベルト５８の分割作業を容易とする作業用開口５９とを備えている。作業用開口５９は、通常時は蓋５６で塞がれている。蓋５６は、ボルト５７でケーシング５５に固定されている。ボルト５７を取り外し、蓋５６を取り除くことで、ケーシング５５の側面に作業用開口５９の大きさの開口を形成することができる。作業用開口５９を開放することにより、この作業用開口５９から内部のコンベヤベルト５８を分割又は連結することが容易にできる。なお、蓋５６はボルト５７で着脱可能とする以外に、ヒンジを設けて開閉可能な構成にすることもできる。蓋５６の取り付けは、この実施形態に限定されるものではない。
【００５１】
この乾式燃焼廃物搬送コンベヤ５０によれば、コンベヤベルト５８の後端部を含む部分を固定部分（固定搬送コンベヤ部分）５１から移動部分（移動搬送コンベヤ部分）５２として分割し、反搬送方向Ｏに移動させることができる。移動部分５２を排出ホッパ１２の下方から反搬送方向Ｏへ移動させることで、ボイラ火炉１１の下方に大きな開口部１７（図１（Ｂ）、図２（Ｂ））を形成することができる。
【００５２】
（第５実施形態）
図５は、第５実施形態に係る乾式燃焼廃物搬送コンベヤ６０の後部を模式的に示す側面図である。なお、架構１５（図１）については支柱１３の一部のみを記載している。
【００５３】
第５実施形態の乾式燃焼廃物搬送コンベヤ６０は、分割部６３で固定部分（固定搬送コンベヤ部分）６１から分割した移動部分（移動搬送コンベヤ部分）６２を反搬送方向Ｏに移動させるためのレール６７が備えられている。この実施形態では、移動部分６２の両側部に柱脚６９が設けられ、この柱脚６９の下部に走行車輪６８が備えられている。そして、上記レール６７は、この走行車輪６８が反搬送方向Ｏに移動可能なように後方へ延びて設置されている。
【００５４】
このようなレール６７を設置することで、乾式燃焼廃物搬送コンベヤ６０の固定部分６１から分割した移動部分６２を、排出ホッパ１２（ボイラ火炉１１）の下方から反搬送方向Ｏに移動させることが容易に可能となり、利便性を向上させることができる。なお、レール６７は、上記いずれの実施形態で採用してもよい。
【００５５】
この乾式燃焼廃物搬送コンベヤ６０によっても、移動部分６２を反搬送方向Ｏへ移動させることで、ボイラ火炉１１の下方に大きな開口部１７（図１（Ｂ）、図２（Ｂ））を形成することができる。
【００５６】
（コンベヤベルトの構成例）
図６は、コンベヤベルト７０の構成例を示す平面図である。コンベヤベルト７０としては、燃焼廃物を搬送するために金属材で形成されている。そのため、一般的に分割が難しい構造となっている。そこで、コンベヤベルト７０に、例えば、図示するようなメッシュベルト７１（図はバランスネット型：右巻き、左巻き交互の螺旋線７２と、それらを繋ぐ波形の力骨線７３で構成されたもの）を採用することができる。この場合、メッシュベルト７１の外周にプレート材７４が取り付けられ、燃焼廃物の搬送が可能なように構成される。メッシュベルト７１を採用することにより、分割部（例えば、上記図４に示す分割部５３における作業用開口５９）において力骨線７３を抜き取ることで、コンベヤベルト７０を容易に分割・接続することが可能なように構成できる。
【００５７】
また、コンベヤベルト７０を分割する部分としては、コンベヤベルトがチェーンコンベヤの場合には、公知の着脱可能なチェーンリンクコネクタを使用することで容易に分割・接続することが可能となる。なお、コンベヤベルトの構成は、これらの例に限定されるものではない。
【００５８】
（作用効果）
上記した乾式燃焼廃物搬送コンベヤ（乾式燃焼廃物搬送装置）２０，３０，４０，５０，６０を備えたボイラ装置１０によれば、定期検査などの工事において、乾式燃焼廃物搬送コンベヤ２０，３０，４０，５０，６０の後部を分割部２３，３３，４３，５３，６３で分割して移動部分２２，３２，４２，５２，６２として反搬送方向Ｏへ移動させることで、ボイラ火炉１１の下方に大きな開口部１７を形成することができる。よって、この大きな開口部１７の下方にトラックなどで仮設足場部材などを搬送し、その仮設足場部材などをボイラ火炉１１の内部から吊上げることで迅速に搬入することができる。これにより、定期検査工事における労力と時間を削減し、定期検査工事に要する日数の削減も可能となる。
【００５９】
例えば、１００万ｋｗクラスのボイラ装置１０における定期検査工事では、一般的に炉内仮設足場組み立てに２週間程度、撤去に１０日程度が必要であるが、床面１６からアクセス可能な開口部１７を設けることで定期検査工事に要する日数を数日短縮することができ、ボイラ稼働率が向上し、費用削減効果を図ることが可能となる。
【００６０】
（総括）
以上のように、上記乾式燃焼廃物搬送コンベヤ（乾式燃焼廃物搬送装置）２０，３０，４０，５０，６０によれば、ボイラ火炉１１の下方に乾式燃焼廃物搬送コンベヤ２０，３０，４０，５０，６０を備えたボイラ装置でも、ボイラ火炉１１の下方に大きな開口部１７を形成することが可能となる。よって、この開口部１７から仮設足場部材などをボイラ火炉１１の内部へ容易に搬入及び搬出することができ、ボイラ火炉１１の点検に要する日数を数日短縮して、ボイラ火炉１１の内部などを効率良く点検・補修することが可能となる。その結果、ボイラ装置１０の点検・補修などに要する時間と費用を大幅に削減することが可能となる。
【００６１】
なお、上記した実施形態における乾式燃焼廃物搬送コンベヤ２０，３０，４０，５０，６０の後端部を含む移動部分２２，３２，４２，５２，６２を分割可能とする構成は一例であり、ケーシングを分割した後にコンベヤベルトを分割するようにしてもよく、本発明の要旨を損なわない範囲での種々の分割可能な構成に変更することは可能であり、上記した実施形態に限定されるものではない。
【００６２】
また、上記した実施形態では、乾式燃焼廃物搬送装置として乾式燃焼廃物搬送コンベヤ２０，３０，４０，５０，６０を例に説明したが、乾式燃焼廃物搬送装置は搬送コンベヤに限られるものではなく、ボイラ火炉１１からの燃焼廃物を搬送方向Ｔに搬送する乾式燃焼廃物搬送装置であればよく、上記実施形態に限定されるものではない。
【００６３】
さらに、上記した実施形態は一例を示しており、本発明の要旨を損なわない範囲での種々の構成を変更してもよく、本発明は上記した実施形態に限定されるものではない。
【符号の説明】
【００６４】
１０  ボイラ装置
１１  ボイラ火炉
１２  排出ホッパ
１５  架構
１６  床面
１７  開口部
２０  乾式燃焼廃物搬送コンベヤ（乾式燃焼廃物搬送装置）
２１  固定部分
２２  移動部分
２３  分割部
２５  移動ケーシング
２６  移動コンベヤベルト
３０  乾式燃焼廃物搬送コンベヤ（乾式燃焼廃物搬送装置）
３１  固定搬送コンベヤ部分（固定部分）
３２  移動搬送コンベヤ部分（移動部分）
３３  分割部
３５  移動ケーシング
４０  乾式燃焼廃物搬送コンベヤ（乾式燃焼廃物搬送装置）
４１  固定部分
４２  移動部分
４３  分割部
４５  移動ケーシング
４６  移動コンベヤベルト
４７  固定ケーシング
４８  コンベヤベルト
４９  緊張装置（離間手段）
５０  乾式燃焼廃物搬送コンベヤ（乾式燃焼廃物搬送装置）
５１  固定部分
５２  移動部分
５３  分割部
５５  ケーシング
５８  コンベヤベルト
５９  作業用開口
６０  乾式燃焼廃物搬送コンベヤ
６１  固定部分
６２  移動部分
６３  分割部
６７  レール
６８  走行車輪
７０  コンベヤベルト
７１  メッシュベルト
Ｔ  搬送方向
Ｏ  反搬送方向
【図１】
2018096611.tif 000003
【図２】
2018096611.tif 000004
【図３】
2018096611.tif 000005
【図４】
2018096611.tif 000006
【図５】
2018096611.tif 000007
【図６】
2018096611.tif 000008
【図７】
2018096611.tif 000009
【図８】
2018096611.tif 000010